(57)【要約】【課題】スクロール量を抑えつつ、適宜ズームする等により所望の手書きメモをより早く見つけだすこと。【解決手段】単体メモイメージ抽出部１０１は、１以上の属性が夫々割り付けられた手書きメモのイメージデータである複数の単体メモイメージＩＴ１乃至ＩＴ４のうち、例えば「２０１３年１年分」という属性に属する単体メモイメージＩＴ２乃至ＩＴ４を抽出する。一括メモイメージ生成部１０２は、単体メモイメージＩＴ２乃至ＩＴ４を含む新たなイメージデータＩＡＯ生成する。記憶制御部１０３は、新たなイメージデータＩＡＯを、抽出部１０１における検索で用いられた「２０１３年１年分」という属性を割り付けて、手書メモＤＢ１０４に記憶させる。【選択図】図４
2015075938.tif 000002
【特許請求の範囲】
【請求項１】
１以上の属性が夫々割り付けられてイメージデータとして既に記憶されている複数の手書きメモのうち、所定の属性に属する手書きメモを１以上検索して、当該１以上の手書きメモの夫々のイメージデータを抽出する抽出手段と、
前記抽出手段により抽出された前記１以上の手書きメモの各イメージデータを含む新たなイメージデータを生成する生成手段と、 
前記生成手段により生成された前記新たなイメージデータを、前記抽出手段における検索で用いられた前記所定の属性を割り付けて、所定の記憶媒体に記憶させる制御を実行する記憶制御手段と、
を備える情報処理装置。
【請求項２】
前記抽出手段は、検索した前記１以上の手書きメモの夫々について、所定の一部分のイメージデータを夫々抽出し、
前記生成手段は、前記抽出手段により抽出された前記１以上の手書きメモの夫々の所定の一部分の各イメージデータを含む前記新たなイメージデータを生成する
請求項１に記載の情報処理装置。
【請求項３】
前記抽出手段は、前記所定の属性を階層化して、多段階の属性毎に、当該属性に属する手書きメモを１以上夫々検索して、検索した当該１以上の手書きメモの夫々のイメージデータを抽出し、
前記生成手段は、前記多段階の属性毎に、前記抽出手段により抽出された前記１以上の手書きメモの各イメージデータを含む前記新たなイメージデータを夫々生成する
請求項１又は２に記載の情報処理装置。
【請求項４】
情報処理装置が実行する情報処理方法であって、
１以上の属性が夫々割り付けられてイメージデータとして既に記憶されている複数の手書きメモのうち、所定の属性に属する手書きメモを１以上検索して、当該１以上の手書きメモの夫々のイメージデータを抽出する抽出ステップと、
前記抽出ステップの処理により抽出された前記１以上の手書きメモの各イメージデータを含む新たなイメージデータを生成する生成ステップと、
前記生成ステップの処理により生成された前記新たなイメージデータを、前記抽出ステップの検索処理で用いられた前記所定の属性を割り付けて、所定の記憶媒体に記憶させる制御を実行する記憶制御ステップと、
を含む情報処理方法。
【請求項５】
コンピュータに、
１以上の属性が夫々割り付けられてイメージデータとして既に記憶されている複数の手書きメモのうち、所定の属性に属する手書きメモを１以上検索して、当該１以上の手書きメモの夫々のイメージデータを抽出する抽出ステップと、
前記抽出ステップの処理により抽出された前記１以上の手書きメモの各イメージデータを含む新たなイメージデータを生成する生成ステップと、
前記生成ステップの処理により生成された前記新たなイメージデータを、前記抽出ステップの検索処理で用いられた前記所定の属性を割り付けて、所定の記憶媒体に記憶させる制御を実行する記憶制御ステップと、
を含む制御処理を実行させるプログラム。
【発明の詳細な説明】
【技術分野】
【０００１】
本発明は、情報処理装置、情報処理方法及びプログラムに関する。
【背景技術】
【０００２】
従来から、医療の分野で、医師により手書きで診察内容が紙カルテに記載された後、当該紙カルテがスキャナ等で読み取られることのよって、画像化された電子データ（以下、「イメージデータ」と呼ぶ）が生成され、電子化カルテとしてデータベース等に保存される。ここで、「電子化カルテ」とは、上述のように、紙カルテが電子化されたイメージデータをいい、テキストデータがコンピュータ等に入力されて生成されるカルテとは異なる点に留意を要する。
【０００３】
電子化カルテの保存の際には、紙カルテからの電子化の順番（読み取り順）で時系列ＩＤが割り当てられた上で、各電子化カルテがデータベース等に保存され、電子化カルテの検索の際には、保存時に割り当てられた時系列ＩＤに基づいて電子化カルテが検索される技術が存在する（特許文献１及び２参照）。
【０００４】
これらの電子化カルテの表示の際には、検索された複数の電子化カルテが単に時系列に画面上に一列に並べられて表示される。医師は、この一列に並べて表示された複数の電子化カルテをスクロールして閲覧し、従前の診療内容を把握する。
【先行技術文献】
【特許文献】
【０００５】
【特許文献１】特開２００７−２８０２０５号公報
【特許文献２】特開２０１０−０６１２５号公報
【発明の概要】
【発明が解決しようとする課題】
【０００６】
しかしながら、表示対象の電子化カルテの数が多くなると、医師にとっては、スクロール量が多くなり、所望の電子化カルテを探索するまでに長時間かかる。
この点は、医療の分野のみならず、複数の手書きのイメージデータを一覧表示する分野において、同様である。
【０００７】
本発明は、このような状況に鑑みてなされたものであり、スクロール量を抑えつつ、適宜ズームする等により所望の手書きメモをより早く見つけだすことを目的とする。
【課題を解決するための手段】
【０００８】
上記目的を達成するため、本発明の一態様の情報処理装置は、
１以上の属性が夫々割り付けられてイメージデータとして既に記憶されている複数の手書きメモのうち、所定の属性に属する手書きメモを１以上検索して、当該１以上の手書きメモの夫々のイメージデータを抽出する抽出手段と、
前記抽出手段により抽出された前記１以上の手書きメモの各イメージデータを含む新たなイメージデータを生成する生成手段と、 
前記生成手段により生成された前記新たなイメージデータを、前記抽出手段における検索で用いられた前記所定の属性を割り付けて、所定の記憶媒体に記憶させる制御を実行する記憶制御手段と、
を備えることを特徴とする。
【０００９】
ここで、
前記抽出手段は、検索した前記１以上の手書きメモの夫々について、所定の一部分のイメージデータを夫々抽出し、
前記生成手段は、前記抽出手段により抽出された前記１以上の手書きメモの夫々の所定の一部分の各イメージデータを含む前記新たなイメージデータを生成する、
ことができる。
【００１０】
また、
前記抽出手段は、前記所定の属性を階層化して、多段階の属性毎に、当該属性に属する手書きメモを１以上夫々検索して、検索した当該１以上の手書きメモの夫々のイメージデータを抽出し、
前記生成手段は、前記多段階の属性毎に、前記抽出手段により抽出された前記１以上の手書きメモの各イメージデータを含む前記新たなイメージデータを夫々生成する、
【００１１】
また、本発明の一態様の情報処理方法及びプログラムは、上述の本発明の一態様の情報処理装置に対応する方法及びプログラムである。
【発明の効果】
【００１２】
本発明によれば、スクロール量を抑えつつ、適宜ズームする等により所望の手書きメモをより早く見つけだすことができる。
【図面の簡単な説明】
【００１３】
【図１】本発明の実施形態に係る情報処理システムの全体構成を示すブロック図である。
【図２】図１の情報処理システムのうちサーバのハードウェアの構成を示すブロック図である。
【図３】図１の情報処理システムのうち医師端末のハードウェアの構成を示すブロック図である。
【図４】図２のサーバ及び図３の医師端末の機能的構成のうち、単体メモイメージ生成処理、一括メモイメージ生成処理、及び、メモイメージ提示処理を実行するための機能的構成を示す機能ブロック図である。
【図５】図４の機能的構成の医師端末が実行する単体メモイメージ生成処理の流れを説明するフローチャートである。
【図６】図４の機能的構成のサーバが実行する一括メモイメージ生成処理の流れを説明するフローチャートである。
【図７】図４の機能的構成の医師端末２が実行するメモイメージ提示処理の流れを説明するフローチャートである。
【発明を実施するための形態】
【００１４】
以下、本発明の実施形態について、図面を用いて説明する。
［全体構成］
【００１５】
図１は、本発明の実施形態に係る情報処理システムＳの全体構成を示すブロック図である。
【００１６】
図１に示すように、本実施形態に係る情報処理システムＳは、サーバ１と、ｎ人（ｎは１以上の整数値）の医師の夫々に使用される医師端末２−１〜２−ｎとを有している。サーバ１と、医師端末２−１〜２−ｎの夫々とは、ネットワークＮを介して相互に接続されている。
なお、医師端末２−１〜２−ｎの夫々を、個々に区別する必要がない場合、これらをまとめて、「医師端末２」と呼ぶ。
【００１７】
図２は、本発明の実施形態に係るサーバ１のハードウェアの構成を示すブロック図である。
【００１８】
サーバ１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、入力部１６と、出力部１７と、記憶部１８と、通信部１９と、ドライブ２０とを備えている。
【００１９】
ＣＰＵ１１は、ＲＯＭ１２に記録されているプログラム、又は、記憶部１８からＲＡＭ１３にロードされたプログラムに従って各種の処理を実行する。
ＲＡＭ１３には、ＣＰＵ１１が各種の処理を実行する上において必要なデータ等も適宜記憶される。
【００２０】
ＣＰＵ１１、ＲＯＭ１２及びＲＡＭ１３は、バス１４を介して相互に接続されている。このバス１４にはまた、入出力インターフェース１５も接続されている。入出力インターフェース１５には、入力部１６、出力部１７、記憶部１８、通信部１９及びドライブ２０が接続されている。
【００２１】
入力部１６は、各種釦等で構成され、ユーザの指示操作に応じて各種情報を入力する。
出力部１７は、ディスプレイやスピーカ等で構成され、画像や音声を出力する。
記憶部１８は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種データを記憶する。
通信部１９は、インターネットを含むネットワークＮを介して医師端末２又は医療機関端末３との間で行う通信を制御する。
【００２２】
ドライブ２０には、磁気ディスク、光ディスク、光磁気ディスク、或いは半導体メモリ等よりなる、リムーバブルメディア３１が適宜装着される。ドライブ２０によってリムーバブルメディア３１から読み出されたプログラムは、必要に応じて記憶部１８にインストールされる。また、リムーバブルメディア３１は、記憶部１８に記憶されている各種データも、記憶部１８と同様に記憶することができる。
【００２３】
図３は、本発明の実施形態に係る医師端末２のハードウェアの構成を示すブロック図である。
【００２４】
医師端末２は、ＣＰＵ５１と、ＲＯＭ５２と、ＲＡＭ５３と、バス５４と、入出力インターフェース５５と、入力部５６と、表示部５７と、スキャナ部５８と、記憶部５９と、通信部６０と、ドライブ６１とを備えている。
【００２５】
ＣＰＵ５１乃至入出力インターフェース５５及び記憶部５９乃至リムーバブルメディア７１の夫々は、図２のＣＰＵ１１乃至入出力インターフェース１５及び記憶部１８乃至リムーバブルメディア３１の夫々と基本的に同様の構成と機能を有しているものとする。従って、これらの説明は省略する。
【００２６】
入力部５６は、例えば表示部５７の表示領域に積層される静電容量式又は抵抗膜式の位置入力センサにより構成され、タッチ操作がなされた位置の座標を検出する。ここで、タッチ操作とは、入力部５６に対する物体（ユーザの指やタッチペン等）の接触又は近接の操作をいう。なお、以下、タッチ操作がなされた位置を「タッチ位置」と呼び、タッチ位置の座標を「タッチ座標」と呼ぶ。
表示部５７は、ディスプレイにより構成され、各種画像を表示する。
即ち、本実施形態では、入力部５６と表示部５７とにより、タッチパネルが構成されている。
【００２７】
スキャナ部５８は、手書きメモをスキャナして、イメージデータを生成する。なお、スキャナ部５８は、手書きメモをイメージデータ化すれば足り、その構成は特に限定されず、例えば、複写機のような感光方式を採用してもよいし、単にデジタルカメラを採用してもよい。
【００２８】
図４は、図２のサーバ１及び図３の医師端末２の機能的構成のうち、単体メモイメージ生成処理、一括メモイメージ生成処理、及び、メモイメージ提示処理を実行するための機能的構成を示す機能ブロック図である。
単体メモイメージ生成処理とは、所定の１つ（単体）の手書きメモがスキャナされてイメージデータ化されるまでの一連の処理をいう。なお、以下、所定の１つ（単体）の手書きメモのイメージデータを、「単体メモイメージ」と呼ぶ。
なお、単体メモイメージの元となる手書きメモは、特にその種類は限定されないが、本実施形態では、透析記録や問診票の“Ｄｏｃｔｏｒ’ｓ  Ｃｈａｒｔ（ＤＣ）”という欄に医師が記載した手書きメモが採用されているものとする。
一括メモイメージ生成処理とは、複数の単体メモイメージをまとめて新たなイメージデータを生成するまでの一連の処理をいう。なお、以下、複数の単体メモイメージをまとめて生成される新たなイメージデータを、「一括メモイメージ」と呼ぶ。
メモイメージ提示処理とは、単体メモイメージ又は一括メモイメージを医師端末２に提示するまでの処理をいう。
【００２９】
単体メモイメージ生成処理が実行される場合、医師端末２のＣＰＵ５１においては、単体メモイメージ生成部１１１が機能する。単体メモイメージ生成部１１１の機能については、図５を参照して後述する。
なお、本実施形態では、単体メモイメージ生成処理により生成された単体メモイメージは、サーバ１側の記憶部１８に設けられる手書メモＤＢ１０４に記憶されるものとする。
【００３０】
一括メモイメージ生成処理が実行される場合、サーバ１のＣＰＵ１１においては、単体メモイメージ抽出部１０１、一括メモイメージ生成部１０２、及び記憶制御部１０３が機能する。なお、単体メモイメージ抽出部１０１乃至記憶制御部１０３の機能については、図６を参照して後述する。
【００３１】
メモイメージ提示処理が実行される場合、医師端末２のＣＰＵ５１においては、取得メモ種類選択部１１２、メモイメージ取得部１１３、及びメモイメージ提示制御部１１４が機能する。なお、取得メモ種類選択部１１２乃至メモイメージ提示制御部１１４の機能については、図７を参照して後述する。
【００３２】
次に、図５乃至図７を参照して、単体メモイメージ生成処理、一括メモイメージ生成処理、及び、メモイメージ提示処理の夫々について、その順番に個別に説明する。
【００３３】
図５は、図４の機能的構成の医師端末２が実行する単体メモイメージ生成処理の流れを説明するフローチャートである。
【００３４】
ステップＳ１において、医師端末２の単体メモイメージ生成部１１１は、スキャナ部５８（図３）を制御することにより、問診票のＤＣ等の手書き箇所（手書きメモ）をスキャンニングすることで、イメージデータを生成する。
例えば図４の例では、問診票のＤＣには「太り気味」という手書きメモが記載されているので、当該手書きメモのイメージデータが生成される。
【００３５】
ステップＳ２において、単体メモイメージ生成部１１１は、患者のＩＤ番号や日付等のユニークキー（属性）を、ステップＳ１の処理で生成したイメージデータに割り付けることで、単体メモイメージを生成する。
例えば図４の例では、「太り気味」というイメージデータに対して、「２０１３．１２．５」という日付のユニークキー（属性）が割り付けられることで、単体メモイメージＩＴ４が生成される。
【００３６】
ステップＳ３において、単体メモイメージ生成部１１１は、通信部６０（図３）及びネットワークＮ（図１）を介してサーバ１にアクセスして、単体イメージメモ（図４の例では単体イメージメモＩＴ４）を、手書メモＤＢ１０４に登録する。
【００３７】
このような単体メモイメージ生成処理が繰り返し実行されることで、手書メモＤＢ１０４には、複数の単体イメージメモが記憶される。図４の例では、４つの単体イメージメモＩＴ１乃至ＩＴ４が記憶されている。
このような複数の単体イメージメモが記憶された状態で、所定の条件が満たされると、図６の一括メモイメージ生成処理が開始される。
図６は、図４の機能的構成のサーバ１が実行する一括メモイメージ生成処理の流れを説明するフローチャートである。
【００３８】
ステップＳ２１において、サーバ１の単体メモイメージ抽出部１０１は、検索対象の属性を受け付ける。
ここで、検索対象の属性（ユニークキー）は、手書メモＤＢ１０４に記憶されている各単体イメージメモの夫々に割り付けられた各属性から判別可能なものであれば足り、手書メモＤＢ１０４に記憶されている各単体イメージメモの夫々に割り付けられた各属性と同一である必要は特にない。また、属性（ユニークキー）の範囲を設定することも可能である。例えば図４の例では、検索対象の属性として「１年分」が受け付けられ、その範囲として「２０１３年」が受け付けられている。
なお、検索対象の属性は、自動的に設定されてもよいし、サーバ１の管理者や、医師端末２の管理者たる医師の操作により設定されてもよい。
【００３９】
ステップＳ２２において、単体メモイメージ抽出部１０１は、手書きメモＤＢに登録された単体メモイメージの中から、検索対象の属性に属する１以上の単体メモイメージの夫々を抽出する。
例えば図４の例では、検索対象の属性（範囲）は「２０１３年１年分」であるので、「２０１３．１．１」乃至「２０１３．１２．３１」の日付（属性）が割り付けられた単体メモイメージが抽出対象になる。
具体的には、「２０１３．１．２」が割り付けられた「普通」という単体メモイメージＩＴ２、「２０１３．５．７」が割り付けられた「やや太め」という単体メモイメージＩＴ３、及び「２０１３．１２．５」が割り付けられた「太り気味」という単体メモイメージＩＴ４が抽出される。
【００４０】
ステップＳ２３において、一括メモイメージ生成部１０２は、抽出された１以上の単体メモイメージ（日付等の属性は外してもよい）を含む新たなイメージデータを生成する。
例えば図４の例では、「普通」という単体メモイメージＩＴ２、「やや太め」という単体メモイメージＩＴ３、及び「太り気味」という単体メモイメージＩＴ４が、その順番（元々割り付けられていた日付（属性）の時系列の順番）に一列に並べられた状態を示す、新たなイメージデータＩＡＯが生成される。
【００４１】
ステップＳ２４において、一括メモイメージ生成部１０２は、ステップＳ２１の処理で受け付けた検索対象の属性を新たなユニークキーとして、ステップＳ２３の処理で生成した新たなイメージデータに割り付けることで、一括メモイメージを生成する。
例えば図４の例では、新たなイメージデータＩＡＯに対して、「２０１３年１年分」という検索対象の属性（範囲）が割り付けられて、一括イメージＩＡが生成される。
【００４２】
ステップＳ２５において、記憶制御部１０３は、ステップＳ２４の処理で生成された一括イメージメモ（図４の例では一括イメージメモＩＡ）を、手書メモＤＢ１０４に登録する制御を実行する。
【００４３】
このような一括メモイメージ生成処理が繰り返し実行されることで、手書メモＤＢ１０４には、その都度受け付けられた検索対象の属性（範囲）が夫々割り付けられた、複数の一括イメージメモが記憶される。なお、図４の例では説明の便宜上、１つの一括イメージメモＩＡのみが記憶されているが、その他検索対象の属性（範囲）として、「２０１３年前半半年分」、「２０１３年後半半年分」、「２０１４年１年分」、「患者Ａ」、「患者Ｂ」等夫々設定することで、図示せぬ複数の一括イメージメモが手書メモＤＢ１０４に記憶され得る。
このような複数の単体イメージメモ及び１以上の一括イメージメモが記憶された状態で、所定の条件が満たされると、図７のメモイメージ提示処理が開始される。
図７は、図４の機能的構成の医師端末２が実行するメモイメージ提示処理の流れを説明するフローチャートである。
【００４４】
ステップＳ４１において、取得メモ種類選択部１１２は、取得対象のメモイメージの種類を選択する。
取得対象のメモイメージの種類は、本実施形態では、単体メモイメージ又は一括メモイメージという種類と、単体メモイメージ又は一括メモイメージに割り付けられた属性（ユニークキー）の種類（範囲含む）との組み合わせにより特定されるものとする。
なお、１回目のステップＳ４１における取得対象のメモイメージの種類は、デフォルトのものであってもよいし、医師による医師端末２の操作により指定されたものであってもよい。
【００４５】
ステップＳ４２において、メモイメージ取得部１１３は、ステップＳ４１の処理により選択された種類のメモイメージを、手書メモＤＢ１０４から取得する。
例えば図４の例でいえば、ステップＳ４１の処理により選択された種類が、「２０１３年１年分」の一括メモイメージであれば、一括メモイメージＩＡが取得される。一方、ステップＳ４１の処理により選択された種類が、「２０１３年１年分」の単体メモイメージであれば、単体メモイメージＩＴ２乃至ＩＴ４が取得される。
【００４６】
ステップＳ４３において、メモイメージ提示制御部１１４は、ステップＳ４２の処理で取得されたメモイメージを表示部５７に表示させることによって、医師に提示する。
【００４７】
ステップＳ４４において、取得メモ種類選択部１１２は、提示形態の変更指示があったか否かを判定する。
ここで、本実施形態では、提示形態の変更指示は、医師によるタッチパネル（図３の入力部５６）に対するタッチ操作により行われるものとする。具体的には、本実施形態では、提示形態の変更指示として、拡大／縮小の変更指示と、メモイメージの種類の変更指示との２種類が採用されている。メモイメージの種類の変更指示としては、単体メモイメージと一括メモイメージとのうち一方から他方へ変更する指示と、単体メモイメージ又は一括メモイメージに割り付けられた属性（ユニークキー）の種類（範囲含む）を変更する指示とが存在する。
したがって、拡大／縮小の変更指示及びメモイメージの種類の変更指示との何れもがなされない場合には、ステップＳ４４においてＮＯであると判定されて、処理はステップＳ４７に進む。なお、ステップＳ４４以降の処理については後述する。
これに対して、拡大／縮小の変更指示とメモイメージの種類の変更指示との何れか一方が行われた場合、ステップＳ４４においてＹＥＳであると判定されて、処理はステップＳ４５に進む。
【００４８】
ステップＳ４５において、取得メモ種類選択部１１２は、提示形態の変更指示とはメモイメージの種類の変更指示であったか否かを判定する。
メモイメージの種類の変更指示がなされた場合、ステップＳ４５においてＹＥＳであると判定され、処理はステップＳ４１に戻されて、変更指示がなされたメモイメージの種類が、取得対処のメモイメージの種類として選択され、ステップＳ４２及びＳ４３の処理が実行されて、変更指示がなされた種類のメモイメージが提示（表示更新）される。
これに対して、拡大／縮小の変更指示がなされた場合、ステップＳ４５においてＮＯであると判定されて、処理はステップＳ４６に進む。
ステップＳ４６において、メモイメージ提示制御部１１４は、現在表示中のメモイメージを拡大／縮小して、医師に提示する。
【００４９】
このようなステップＳ４６の処理が終了するか、又は上述のステップＳ４４においてＮＯであると判定されると、処理はステップＳ４７に進む。
ステップＳ４７において、取得メモ種類選択部１１２は、処理の終了指示があったか否かを判定する。
処理の終了指示の形態は、特に限定されず、例えば、医師による所定のタッチ操作がなされたこと、電源が遮断されたこと、メモイメージ提示処理を実現するプログラムの終了指示がなされたこと等各種各様の形態を採用することができる。
処理の終了指示がなされていない場合、ステップＳ４７においてＮＯであると判定されて、処理はステップＳ４４に戻され、それ以降の処理が繰り返される。
これに対して、処理の終了指示がなされた場合、ステップＳ４７においてＹＥＳであると判定されて、メモイメージ提示処理は終了となる。
【００５０】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００５１】
例えば、上述の実施形態では、手書きメモとしては、医師の透析記録や問診票のＤＣが採用されたが、特にこれに限定されず、何らかの属性と対応付けてイメージデータ化ができるもの、即ち単体メモイメージの生成ができれば任意のものを採用することができる。
【００５２】
また例えば、上述の実施形態では、単体メモイメージ及び一括メモイメージに対しては、１の属性が割り付けられていたが、特にこれに限定されず、複数の属性が割り付けられてもよい。
【００５３】
要するに、本発明が適用される情報処理装置は、上述の実施形態のサーバ１に限定されず、次のような抽出部と生成部と記憶制御部とを備える情報処理装置であれば足り、例えば汎用のパーソナルコンピュータ等で構成されてもよい。
即ち、抽出部（上述の実施形態では図４の単体メモイメージ抽出部１０１）は、１以上の属性が夫々割り付けられてイメージデータとして既に記憶されている複数の手書きメモ（例えば図４の例では単体メモイメージＩＴ１乃至ＩＴ４）のうち、所定の属性（例えば、図４の例では「２０１３年１年分」、即ちここでいう「所定の属性」には「範囲」も含む）に属する手書きメモを１以上検索して、検索した１以上の当該手書きメモの夫々のイメージデータ（例えば図４の例では単体メモイメージＩＴ２乃至ＩＴ４）を抽出する。
生成部（上述の実施形態では図４の一括メモイメージ生成部１０２）は、抽出部により抽出された１以上の手書きメモの各イメージデータを含む新たなイメージデータ（例えば図４の例ではイメージデータＩＡＯ）を生成する。
記憶制御部（上述の実施形態では記憶制御部１０３）は、生成部により生成された新たなイメージデータを、抽出部における検索で用いられた所定の属性を割り付けて、所定の記憶媒体（上述の実施形態では手書メモＤＢ１０４）に記憶させる制御を実行する。
【００５４】
これにより、ユーザは、スクロール量を抑えつつ、適宜ズームする等により所望の手書メモをより早く見つけだすことができる。
具体的には例えば医療分野についていえば、従来から、透析記録や問診票のＤＣにおける医師の手書きメモがイメージデータ化され、当該透析記録や問診票に記載された患者のＩＤ番号や日付の文字がＯＣＲで読み取られてユニークキー（属性）として割り付けられて記憶されている。従来においては、これらの複数の手書きメモのイメージデータは単に時系列に画面上に一列に並べられて表示される。次回の透析や問診の際に、医師は、この一列に並べて表示された複数のイメージデータ（ＤＣ）をスクロールして閲覧し、従前の診療内容を把握する。しかしながら、イメージデータ（ＤＣ）の数が多くなると、スクロール量が多くなり、所望のイメージデータ（ＤＣ）を探索するまでに長時間かかる。
これに対して、本発明が適用される情報処理装置は、例えば直近１年等という所定の属性に属する１以上の手書きのイメージデータ（単体メモイメージ）をひとまとめにして、「１年分のＤＣ」といった１のイメージデータ（一括メモイメージ）として表示することができる。その結果、医師は、スクロール量を抑えつつ、適宜ズームする等（図７のステップＳ４６参照）により所望のＤＣをより早く見つけだすことができる。
【００５５】
ここで例えば、抽出部は、検索した１以上の当該手書きメモの夫々について、所定の一部分のイメージデータを夫々抽出してもよい。例えば抽出対象の単体メモイメージが「太り気味のため注意」というイメージデータであった場合、抽出部は、「太り気味」という一部分のみのイメージデータとして抽出してもよい。
この場合、何れの一部分を抽出するのかの特定手法は、特に限定されず、ユーザ（医師等）操作により直接指定された範囲を抽出する部分として特定するという手法を採用してもよいし、情報処理装置単体メモイメージをＯＣＲして所定のアルゴリズムで特徴的な部分を解析し、当該特徴的な部分を抽出する部分として特定するという手法を採用してもよい。
これにより、生成部は、抽出部により抽出された１以上の手書きメモの夫々の所定の一部分の各イメージデータを含む新たなイメージデータ（一括メモイメージ）を生成することができる。
これにより、例えば上述の医療分野についていえば、各ＤＣ（単体メモイメージ）のうち特徴的な部分のみが切り出されて、切りだされた部分のみからなる新たなイメージデータ（一括メモイメージ）が生成されるので、全てが切りだされた場合と比較して各ＤＣ（特徴的な部分）が相対的に大きく表示される。その結果、医師は、ズーム等をすることなく所望のＤＣを容易に見つけ出すことができるようになる。
【００５６】
また例えば、抽出部は、所定の属性を階層化し、多段階の属性毎に、当該属性に属する手書きメモを１以上夫々検索して、検索した１以上の当該手書きメモの夫々のイメージデータ（単体イメージメモ）を抽出してもよい。
ここで、階層化の種類や手法は、単体メモイメージを抽出可能なものであれば、特に限定されない。
例えば上述の医療分野についていえば、図４の例のように単体メモイメージに属性として日付が割り付けられているならば、直近１年（第１階層：１年）  →  直近１年の前半部と後半部（第２階層：半年）  →  直近１年の１乃至１２月の夫々（第３階層：月）といった期間に関する多段階の階層等を容易に採用することができる。
この場合、生成部は、多段階の属性毎に、抽出部により抽出された１以上の手書きメモの各イメージデータを含む新たなイメージデータを夫々生成することができる。
例えば上述の期間に関する多段階の階層が採用されている場合には、「第１階層：１年」では、直近１年のＤＣがまとめられた新たな第１のイメージデータ（一括メモイメージ）が生成される。
「第２階層：半年」では、直近１年の前半部のＤＣがまとめられた新たな第２−１のイメージデータ（一括メモイメージ）と、直近１年の後半部のＤＣがまとめられた新たな第２−２のイメージデータ（一括メモイメージ）とが生成される。
「第３階層：月」では、直近１年のうち、１月のＤＣがまとめられた新たな３−１のイメージデータ（一括メモイメージ）乃至１２月のＤＣがまとめられた新たな３−１２のイメージデータ（一括メモイメージ）が生成される。
これにより、医師は、例えば、所定階層（例えば第１階層：１年）の新たな第１のイメージデータにより各ＤＣを閲覧していたときに、表示が小さすぎて見難いと感じた場合には、下位の階層に切り替えることで（例えば第２階層：半年に切り替えることで）、切替前の上位の階層の場合と比較して各ＤＣが相対的に大きく表示されるので、医師は、ズーム等をすることなく所望のＤＣを容易に見つけ出すことができる。
【００５７】
上述した一連の処理は、ハードウェアにより実行させることもできるし、ソフトウェアにより実行させることもできる。
換言すると、図４の機能的構成は例示に過ぎず、特に限定されない。即ち、上述した一連の処理を全体として実行できる機能がサーバ１又は医師端末２に備えられていれば足り、この機能を実現するためにどのような機能ブロックを用いるのかは特に図４の例に限定されない。
また、１つの機能ブロックは、ハードウェア単体で構成してもよいし、ソフトウェア単体で構成してもよいし、それらの組み合わせで構成してもよい。
【００５８】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００５９】
このようなプログラムを含む記録媒体は、ユーザにプログラムを提供するために装置本体とは別に配布される図２のリムーバブルメディア３１又は図３のリムーバブルメディア７１により構成されるだけでなく、装置本体に予め組み込まれた状態でユーザに提供される記録媒体等で構成される。リムーバブルメディア３１又はリムーバブルメディア７１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ１２又は図３のＲＯＭ５３や、記憶部１８又は図３の記憶部５９に含まれるハードディスク等で構成される。
【００６０】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
【符号の説明】
【００６１】
１・・・サーバ、２・・・医師端末、１１・・・ＣＰＵ、１２・・・ＲＯＭ、１３・・・ＲＡＭ、１４・・・バス、１５・・・入出力インターフェース、１６・・・入力部、１７・・・出力部、１８・・・記憶部、１９・・・通信部、２０・・・ドライブ、３１・・・リムーバブルメディア、５１・・・ＣＰＵ、５２・・・ＲＯＭ、５３・・・ＲＡＭ、５４・・・バス、５５・・・入出力インターフェース、５６・・・入力部、５７・・・表示部、５８・・・スキャナ部、５９・・・記憶部、６０・・・通信部、６１・・・ドライブ、７１・・・リムーバブルメディア、１０１・・・単体メモイメージ抽出部、１０２・・・一括メモイメージ生成部、１０３・・・記憶制御部、１０４・・・手書メモＤＢ、１１１・・・単体メモイメージ生成部、１１２・・・取得メモ種類選択部、１１３・・・メモイメージ取得部、１１４・・・メモイメージ提示制御部
【図１】
2015075938.tif 000003
【図２】
2015075938.tif 000004
【図３】
2015075938.tif 000005
【図４】
2015075938.tif 000006
【図５】
2015075938.tif 000007
【図６】
2015075938.tif 000008
【図７】
2015075938.tif 000009